(57)【要約】      （修正有）【課題】太陽電池セルのストリップのずれ重ねられた配列を有する太陽電池モジュールを形成する方法およびずれ重ねられた太陽電池セルのストリップを結合する方法を提案する。【解決手段】第１の末端ストリップ太陽電池セル２１８aを形成するために導電性バスリボン２２０を太陽電池セルのストリップに接合する。太陽電池セルのストリップのずれ重ねられた構成２１４の形成の前にかつ／または太陽電池セルのストリップのずれ重ねられた構成２１４の形成とは別個に、バスリボン２２０は太陽電池セルのストリップに取り付けられる。第１の末端太陽電池セル２１８aがあらゆる付加的な太陽電池セルと組み合わされる前にかつ／または太陽電池セルのストリップ２１８bからfのストリング２１６の形成の前に、導電性リボン２２０が太陽電池セルのストリップに固定される。【選択図】図２Ａ
2020057765.tif 000002
【特許請求の範囲】
【請求項１】
太陽電池セルのストリップのずれ重ねられた配列を形成する方法であって、
a）第１の末端ストリップ太陽電池セルを形成するために太陽電池セルの第１のストリップに第１の導電性バスリボンを取り付ける工程と、
b）少なくとも１つの中間ストリップを前記第１の末端ストリップ太陽電池セルにずれ重ねられた構成において接続する工程と、
c）ずれ重ねられたストリップのストリングを形成するために第２のストリップを前記少なくとも１つの中間ストリップに接続する工程と、
d）第２の末端ストリップ太陽電池セルを形成するために前記第２のストリップに第２の導電性バスリボンを取り付ける工程とを含む、
太陽電池セルのストリップのずれ重ねられた配列を形成する方法。
【請求項２】
前記工程a）の取付けは、前記第１のストリップへの前記第１の導電性バスリボンのはんだ付けを含む、請求項１に記載の方法。
【請求項３】
前記工程a）の取付けは、接着剤による前記第１のストリップへの前記第１の導電性バスリボンの接着を含む、請求項１に記載の方法。
【請求項４】
前記工程a）の前記第１の導電性バスリボンは、前記第１のストリップの裏側に取り付けられる、請求項１に記載の方法。
【請求項５】
前記第１の導電性バスリボンは、前記ずれ重ねられたストリップのストリングの表側から見える、請求項４に記載の方法。
【請求項６】
前記第１の導電性バスリボンは、前記ずれ重ねられたストリップのストリングの表側から見えない、請求項４に記載の方法。
【請求項７】
前記工程d）の取付けは、前記第２のストリップへの前記第２の導電性バスリボンのはんだ付けを含む、請求項１に記載の方法。
【請求項８】
前記工程d）の取付けは、接着剤による前記第２のストリップへの前記第２の導電性バスリボンの接着を含む、請求項１に記載の方法。
【請求項９】
前記第２の導電性バスリボンは、前記ずれ重ねられたストリップのストリングの表側から見える、請求項１に記載の方法。
【請求項１０】
前記工程a）の間の前記第１のストリップまたは前記第１の導電性バスリボンの変形を防止するために前記工程a）の前に前記第１のストリップの少なくとも１つの側に第１の矯正固定具を配置することをさらに含む、請求項１に記載の方法。
【請求項１１】
前記工程b）の間の前記第１の末端ストリップまたは前記第１の導電性バスリボンのうちの少なくとも一方の変形を防止するために前記工程b）の前に前記第１の末端ストリップの少なくとも１つの側に第１の矯正固定具を配置することをさらに含む、請求項１に記載の方法。
【請求項１２】
前記第１の矯正固定具は、前記第１の末端ストリップの表側に配置される、請求項１１に記載の方法。
【請求項１３】
太陽電池セルのずれ重ねられた配列を形成する方法であって、
a）第１の末端ストリップを形成するために第１の導電性バスリボンを太陽電池セルの第１のストリップの遠位側端部に取り付ける工程と、
b）第２の末端ストリップを形成するために第２の導電性バスリボンを太陽電池セルの第２のストリップの近位側端部に取り付ける工程と、
c）少なくとも１つの中間ストリップを前記第１の末端ストリップの近位側端部にずれ重ねられた構成において接続する工程と、
d）ずれ重ねられたストリップのストリングを形成するために前記第２の末端ストリップの遠位側端部を前記少なくとも１つの中間ストリップに接続する工程とを含む、
太陽電池セルのずれ重ねられた配列を形成する方法。
【請求項１４】
前記工程a）の取付けは、前記第１のストリップへの前記第１の導電性バスリボンのはんだ付けを含む、請求項１３に記載の方法。
【請求項１５】
前記工程a）の取付けは、接着剤による前記第１のストリップへの前記第１の導電性バスリボンの接着を含む、請求項１３に記載の方法。
【請求項１６】
前記第１の導電性バスリボンは、前記ずれ重ねられたストリップのストリングの表側から見える、請求項１３に記載の方法。
【請求項１７】
前記第１の導電性バスリボンは、前記ずれ重ねられたストリップのストリングの表側から見えない、請求項１３に記載の方法。
【請求項１８】
前記工程b）の取付けは、前記第２のストリップへの前記第２の導電性バスリボンのはんだ付けを含む、請求項１３に記載の方法。
【請求項１９】
前記工程b）の取付けは、接着剤による前記第２のストリップへの前記第２の導電性バスリボンの接着を含む、請求項１３に記載の方法。
【請求項２０】
前記第２の導電性バスリボンは、前記ずれ重ねられたストリップのストリングの表側から見える、請求項１３に記載の方法。
【請求項２１】
前記工程c）の間の前記第１の末端ストリップまたは前記第１の導電性バスリボンのうちの少なくとも一方の変形を防止するために前記工程c）の前に太陽電池セルの前記第１の末端ストリップの少なくとも１つの側に第１の矯正固定具を配置することをさらに含む、請求項１３に記載の方法。
【請求項２２】
前記第１の矯正固定具は、前記第１の末端ストリップの表側に配置される、請求項２１に記載の方法。
【請求項２３】
前記工程d）の間の前記第２の末端ストリップまたは前記第２の導電性バスリボンのうちの少なくとも一方の変形を防止するために前記工程d）の前に前記第２の末端ストリップの表側に第２の矯正固定具を配置することをさらに含む、請求項１３に記載の方法。
【請求項２４】
前記第２の矯正固定具は、さらに前記第２の末端ストリップの下側に配置される、請求項２３に記載の方法。
【請求項２５】
太陽電池モジュールであって、
太陽電池セルのずれ重ねられたストリップの配列を有する少なくとも１つのストリングと、
該ストリングの第１の端部に接続された固定されたエッジと、スロットを有する自由な外側エッジとを有し、前記スロットは前記自由な外側エッジから前記固定されたエッジに向かう方向に内方へ延びている、少なくとも１つの第１の導電性バスリボンと、
を有する、太陽電池モジュール。
【請求項２６】
前記スロットは、前記バスリボンの長手方向軸線に対して概して垂直な長手方向軸線を有する、請求項２５に記載の太陽電池モジュール。
【請求項２７】
前記第１の導電性バスリボンは、前記バスリボンの前記固定されたエッジに沿って配置された抜き孔をさらに有する、請求項２５に記載の太陽電池モジュール。
【請求項２８】
前記スロットは、前記抜き孔と異なる形状である、請求項２７に記載の太陽電池モジュール。
【請求項２９】
少なくとも１つの第２の導電性バスリボンをさらに有し、該第２の導電性バスリボンは、前記ストリングの第２の端部に接続された固定されたエッジと、スロットを有する自由な外側エッジとを有し、前記スロットは前記自由な外側エッジから前記第２のバスリボンの前記固定されたエッジに向かう方向に内方へ延びている、請求項２５に記載の太陽電池モジュール。
【請求項３０】
太陽電池セルのストリップのずれ重ねられた配列を形成する方法であって、
a）第１の末端ストリップを形成するために太陽電池セルの第１のストリップに第１の導電性バスリボンの第１のエッジを取り付ける工程であって、前記第１の導電性バスリボンの自由な外側エッジは、該自由な外側エッジから前記第１の導電性バスリボンの前記第１のエッジに向かう方向に内方へ延びたスロットを有する、工程と、
b）少なくとも１つの中間ストリップを前記第１の末端ストリップにずれ重ねられた構成において接続する工程と、
c）ずれ重ねられたストリップのストリングを形成するために第２のストリップを前記少なくとも１つの中間ストリップに接続する工程と、
d）太陽電池セルの第２の末端ストリップを形成するために前記第２のストリップに第２の導電性バスリボンを取り付ける工程とを含む、
太陽電池セルのストリップのずれ重ねられた配列を形成する方法。
【請求項３１】
前記スロットは、前記工程a）の前記第１の導電性バスリボンの取付け前に前記第１の導電性バスリボンに付加される、請求項３０に記載の方法。
【請求項３２】
前記スロットは、前記工程a）の前記第１の導電性バスリボンの取付け後に前記第１の導電性バスリボンに付加される、請求項３０に記載の方法。
【発明の詳細な説明】
【技術分野】
【０００１】
本開示は、太陽電池モジュール、より具体的には、シングルド・アレイ・モジュール（“SAM”）に組み込まれた太陽電池セルに関する。太陽電池セルのずれ重ねられた配列を有する太陽電池モジュールを形成する方法およびずれ重ねられた配列において太陽電池セルのストリングを形成するためにずれ重ねられた構成で太陽電池セルのストリップを結合する方法も提供される。
【０００２】
背景
過去数年間、エネルギ源としての化石燃料の利用は下向きの傾向である。この傾向には多くの要因が寄与している。例えば、石油、石炭および天然ガスなどの化石燃料ベースのエネルギオプションの利用は、大気から容易に除去されないことがあるガスおよび汚染物質を生じることが長年にわたり認識されてきた。加えて、より多くの化石燃料ベースのエネルギが消費されると、より多くの汚染物質が大気中へ放出され、近隣の生物に有害な影響を与える。これらの影響にもかかわらず、化石燃料ベースのエネルギオプションは未だに急速なペースで消費されており、その結果、石油などの、これらの化石燃料源のうちの幾つかのコストは上昇している。さらに、化石燃料埋蔵量の多くは政治的に不安定な地域に存在しており、化石燃料の供給およびコストは予測不能であった。
【０００３】
部分的に、これらの従来のエネルギ源によって生じた多くの課題により、代替的なクリーンエネルギ源の需要が劇的に高まっている。太陽エネルギおよびその他のクリーンエネルギの利用をさらに推進するために、幾つかの政府は、消費者が進んで従来のエネルギ源からクリーンエネルギ源へ切り替えるための動機を、金銭的割引または減税の形式で提供してきた。その他の例において、消費者は、クリーンエネルギ源への変更の長期的な節約利益が、クリーンエネルギ源を実行する比較的高い目先のコストより重要であるということが分かってきた。
【０００４】
クリーンエネルギの１つの形式である太陽エネルギは、過去数年間にわたって人気が高まってきた。半導体技術における進歩により、太陽電池モジュールおよび太陽電池パネルの設計はより効率的になり、より大きな出力が可能になった。さらに、太陽電池モジュールおよび太陽電池パネルを製造するための材料は、比較的安価になってきており、このことが、太陽エネルギのコストの低下に貢献している。太陽エネルギは、個人の消費者にとって益々手が届くクリーンエネルギオプションになっているので、太陽電池モジュールおよびパネル製造業者は、住宅構造において利用するために美観および実用性の魅力を持った製品を提供してきた。これらの利益の結果、太陽エネルギは、広く行きわたった世界的な人気を獲得してきた。
【０００５】
現在まで、太陽電池セルは、太陽電池パネルを含む太陽電池モジュールの構成要素として使用されている。太陽電池セルは、光エネルギを電気に変換することによってエネルギを発生することができるように構成された基板から構成されている。基板は、光起電材料であってもよい。適切な光起電材料の例は、多結晶および単結晶シリコンウェハから形成されたものを含むが、これに限定されない。これらのウェハは、湿式または乾式テクスチャ化、拡散接合、ケイ酸塩ガラス層除去およびエッジアイソレーション、窒化ケイ素反射防止層コーティング、前面および後面金属被覆を含む、主要な太陽電池セル処理工程によって処理されてもよい。ウェハは、さらに、裏面パッシベーションコーティングおよび選択的パターニングを含む最新の太陽電池処理工程によって処理されてもよく、これにより、パッシベーテッド・エミッタ・リア・コンタクト（PERC）太陽電池セルを形成し、これは、上記で言及した標準的な処理フローを使用して形成された太陽電池セルより高い効率を有する。太陽電池セルは、その他の実施の形態においてp型単結晶セルまたはn型単結晶セルであってもよい。上記のように説明した拡散接合太陽電池セルと同様に、ヘテロ接合太陽電池セルを含むその他の高効率太陽電池セルは、シングルド・アレイ・モジュールの製造のために使用することを目的として同じ金属被覆パターンを利用することができる。太陽電池セルは、角が面取りされた実質的な正方形（疑似正方形）または完全な正方形を有してもよい。
【０００６】
図１Ａに示したように、太陽電池モジュール１９は、太陽電池セル１８a，１８bのずれ重ねられたストリング１６の配列を有することができ、各ストリング１６（より大きな第１の領域が太線で強調されている）は、ストリップとして形成された複数の太陽電池セル１８a，１８b（第２のより小さな領域が太線で強調されている）を含む。隣接する各ストリップ１８a，１８bは、重なり合ったまたはずれ重ねられた構成で接続されている。さらに図１Ａに示したように、各ストリング１６は、ストリング１６の相対する端部、すなわち近位側端部１４aおよび遠位側端部１４bに配置された導電性バスリボン２０，２２を有する。導電性バスリボンは、ずれ重ねられた太陽電池セル１８a，１８bのストリング１６によって発生された電気出力を伝送するように設計されている。
【０００７】
従来技術において、バスリボン２０，２２は、ストリング１６の形成後にストリング１６の相対する端部に取り付けられる。図１Ｂおよび図１Ｃは、従来技術に見られる方法を示しており、この場合、ずれ重ねられた太陽電池セル１８aから１８fのストリング１６が、はんだ付けによる導電性バスリボン２０，２２の取付け前に形成され、これにより、バスリボン２０，２２は、溶融したはんだの冷却により、太陽電池セル１８aから１８fにおける金属被覆パターンに接着される。その他の全ての太陽電池セル１８aから１８fは、導電性接着剤（ECA）を使用して接着される。
【０００８】
特に、このような方法の上面図１０a，１１aおよび下面図１０b，１１bが、それぞれ図１Ｂおよび図１Ｃに示されており、太陽電池セル１８aから１８fの複数のストリップ（導電性バスリボンを有さない）がまず、ずれ重ねられた構成において接続される（例えば、ECAを使用して）。次いで、太陽電池セル１８aから１８fのずれ重ねられた構成の形成後、第１の導電性バスリボン２０および第２の導電性バスリボン２２が、末端太陽電池セル１８aおよび１８fにはんだ付けされる。特に、ストリング１６を形成するために、第１のバスリボン２０が、ずれ重ねられた構成の第１の端部１３aに取り付けられ、第２のバスリボン２２が、太陽電池セルのストリップ１８aからfのずれ重ねられた構成の第２の端部１３bに取り付けられる。第１の端部１３aは、ストリング１６において第２の端部１３bとは反対側にある。
【０００９】
図１Ｄに示したように、太陽電池セル１８aの第１の端部１４aへの第１のバスリボン２０の取付けにより、第１の端部１４aおよび／または第１のバスリボン２０は変形する、すなわち曲がるおよび／または湾曲する可能性があり、これは、太陽電池セル１８aにわたって応力を生じる可能性がある。この曲げまたは湾曲は、材料、特に太陽電池セル１８aのシリコンと、バスリボン２０の金属箔との異なる熱力学的特性によって生じる。図１Ｄにさらに示されているように、バスリボン２０の取付け前にストリップ１８a，１８bは、ずれ重ねられた構成に互いに接続されているので、第１の端部１４aおよび／または第１のバスリボン２０の変形により、少なくとも、重なり合った領域１４bの部分、すなわち、ずれ重ねられた第１および第２のストリップ１８a，１８bが前もって接続されていた部分が変形する可能性もある。第１の太陽電池セル１８aの変形の結果、太陽電池モジュール１９の他の構成部材への太陽電池セル１８aの不十分な接続性を生じる。さらに、この変形の結果として太陽電池セル１８aに誘発される応力は、太陽電池セル１８a内および／または重なり合った領域１４bに沿った隣接する太陽電池セル１８bの間の結合部に亀裂および／または微小亀裂を生じる可能性もある。変形、亀裂および／または微小亀裂は、ストリング１６の太陽電池セル１８a，１８bの間の電気接続にギャップを生じ、ストリングの効率を低下させ、太陽電池モジュールにホットスポットを生じ、または、太陽電池モジュールに開いた電気回路をもたらす可能性があり、これは、太陽電池セルが電力を太陽電池セルの隣接するストリング１６へ伝導することを妨げる。
【００１０】
本開示は、現在の技術の前記欠点を解決しようとするものである。
【００１１】
概要
本開示は、ずれ重ねられた太陽電池セルのストリングの端部に結合された導電性バスリボンを有する、太陽電池モジュールおよび／または太陽電池セルを提供し、各ストリングは、太陽電池セルのストリップを含む。このような太陽電池モジュールを形成する方法およびずれ重ねられた構成において太陽電池セルのこのようなストリングおよび／またはストリップを結合する方法も本明細書に開示されている。
【００１２】
幾つかの実施の形態において、a）第１の末端ストリップ太陽電池セルを形成するために太陽電池セルの第１のストリップに第１の導電性バスリボンを取り付ける工程と、b）少なくとも１つの中間ストリップを第１の末端ストリップ太陽電池セルにずれ重ねられた構成において接続する工程と、c）ずれ重ねられたストリップのストリングを形成するために第２のストリップを少なくとも１つの中間ストリップに接続する工程と、d）第２の末端ストリップ太陽電池セルを形成するために第２のストリップに第２の導電性バスリボンを取り付ける工程とを含む、太陽電池セルのずれ重ねられた配列を有する太陽電池モジュールを形成する方法が説明される。
【００１３】
幾つかの実施の形態において、第１の導電性バスリボンは、第１のストリップにはんだ付けされてもよい。
【００１４】
幾つかの実施の形態において、第１の導電性バスリボンは、接着剤によって第１のストリップに接着されてもよい。ある実施の形態では、接着剤は、導電性接着剤であってもよい。
【００１５】
幾つかの実施の形態において、第１の導電性バスリボンは、第１のストリップの裏側に取り付けられる。幾つかの実施の形態において、第１のストリップの裏側に取り付けられた第１の導電性バスリボンは、第１のストリップおよび／またはずれ重ねられたストリップのストリングの表側から見えている。幾つかの実施の形態において、第１の導電性バスリボンは、第１のストリップおよび／またはずれ重ねられたストリップのストリングの表側から見えていない。
【００１６】
幾つかの実施の形態において、第２の導電性バスリボンは、第２のストリップにはんだ付けされてもよい。
【００１７】
幾つかの実施の形態において、第２の導電性バスリボンは、接着剤によって第２のストリップに接着されてもよい。ある実施の形態では、接着剤は、導電性接着剤であってもよい。
【００１８】
幾つかの実施の形態において、第１の導電性バスリボンは、第２の導電性バスリボンが第２のストリップに取り付けられるのと同じ形式で第１のストリップに取り付けられる。ある実施の形態において、第１のバスリボンおよび第２のバスリボンは、それぞれ第１のストリップおよび第２のストリップにはんだ付けされる。ある実施の形態において、第１のバスリボンおよび第２のバスリボンは、それぞれ第１のストリップおよび第２のストリップに接着される。
【００１９】
幾つかの実施の形態において、第１の導電性バスリボンは、第２の導電性バスリボンが第２のストリップに取り付けられるのと異なる形式で第１のストリップに取り付けられる。幾つかの実施の形態において、第１のバスリボンは第１のストリップにはんだ付けされ、第２のバスリボンは第２のストリップに接着される。幾つかの実施の形態において、第１のバスリボンは第１のストリップに接着され、第２のバスリボンは第２のストリップにはんだ付けされる。
【００２０】
幾つかの実施の形態において、第２の導電性バスリボンは、第２のストリップの裏側に取り付けられる。ある実施の形態において、第２のストリップの裏側に取り付けられた第２の導電性バスリボンは、第２のストリップおよび／またはずれ重ねられたストリップのストリングの表側から見えている。ある実施の形態において、第２の導電性バスリボンは、第２のストリップおよび／またはずれ重ねられたストリップのストリングの表側から見えていない。
【００２１】
幾つかの実施の形態において、本明細書に説明される方法は、さらに、第１の末端ストリップを第１の中間ストリップに接続する前に、少なくとも１つの第１の矯正固定具を第１の末端ストリップの表側または下側の少なくとも一方に配置する工程を含んでもよい。ずれ重ねられたストリップのストリングを形成する前またはずれ重ねられたストリップのストリングの形成の完了時、少なくとも１つの第１の矯正固定具は第１の末端ストリップから取外し可能なままである。
【００２２】
幾つかの実施の形態において、a）第１の末端ストリップを形成するために第１の導電性バスリボンを太陽電池セルの第１のストリップの遠位側端部に取り付ける工程と、b）第２の末端ストリップを形成するために第２の導電性バスリボンを太陽電池セルの第２のストリップの近位側端部に取り付ける工程と、c）少なくとも１つの中間ストリップを第１の末端ストリップの近位側端部にずれ重ねられた構成において接続する工程と、d）ずれ重ねられたストリップのストリングを形成するために第２の末端ストリップの遠位側端部を少なくとも１つの中間ストリップに接続する工程とを含む、太陽電池セルのずれ重ねられた配列を形成する方法が本明細書において説明される。
【００２３】
幾つかの実施の形態において、太陽電池セルのずれ重ねられたストリップの配列を有する少なくとも１つのストリングと、少なくとも１つの第１の導電性バスリボンであって、ストリングの第１の端部に接続された固定されたエッジと、スロットを有する自由な外側エッジとを有し、スロットは自由な外側エッジから固定されたエッジに向かう方向に内方へ延びている、少なくとも１つの第１の導電性バスリボンと、を有する、太陽電池モジュールが説明される。
【００２４】
本開示の様々な態様が、以下に図面を参照して説明され、図面は、本明細書の一部に組み入れられかつ本明細書の一部を構成する。
【図面の簡単な説明】
【００２５】
【図１Ａ】ずれ重ねられた太陽電池セルの配列と、導電性バスリボンとを含む太陽電池モジュールの上面図である。
【図１Ｂ】従来技術に見られる太陽電池モジュールを形成する方法の流れ図の上面図を示している。
【図１Ｃ】従来技術に見られる太陽電池モジュールを形成する方法の流れ図の下面図を示している。
【図１Ｄ】本明細書に説明された、導電性バスリボンの付加を含む、ずれ重ねられた太陽電池セルの端部の斜視図である。
【図２Ａ】本明細書における少なくとも１つの実施の形態において説明された、太陽電池セルのずれ重ねられた配列を形成する方法および／またはずれ重ねられた太陽電池セルを結合する方法の流れ図を示している。
【図２Ｂ】本明細書における少なくとも１つの実施の形態において説明された、矯正固定具が配置された末端ストリップ太陽電池セルの上面図である。
【図２Ｃ】本明細書における少なくとも１つの実施の形態において説明された、末端ストリップ太陽電池セルの斜視図である。
【図３】本明細書における少なくとも１つの実施の形態に説明された、それぞれが導電性リボンを有する複数の第１および第２の末端太陽電池セルの図である。
【図４Ａ】本明細書における少なくとも１つの実施の形態において説明された、太陽電池セルのずれ重ねられた配列を形成する方法および／またはずれ重ねられた太陽電池セルを結合する方法の流れ図を示している。
【図４Ｂ】本明細書における少なくとも１つの実施の形態において説明された、太陽電池セルのずれ重ねられた配列を形成する方法および／またはずれ重ねられた太陽電池セルを結合する方法の流れ図を示している。
【図５Ａ】本明細書における少なくとも１つの実施の形態において説明された、太陽電池セルのずれ重ねられた配列を形成する方法および／またはずれ重ねられた太陽電池セルを結合する方法の流れ図を示している。
【図５Ｂ】本明細書における少なくとも１つの実施の形態において説明された、太陽電池セルのずれ重ねられた配列を形成する方法および／またはずれ重ねられた太陽電池セルを結合する方法の流れ図を示している。
【図６】本明細書における少なくとも１つの実施の形態において説明された、太陽電池セルのずれ重ねられた配列を形成する方法および／またはずれ重ねられた太陽電池セルを結合する方法の流れ図を示している。
【図７】本明細書における少なくとも１つの実施の形態において説明された、太陽電池セルのずれ重ねられた配列を形成する方法および／またはずれ重ねられた太陽電池セルを結合する方法の流れ図を示している。
【図８】本明細書における少なくとも１つの実施の形態に説明された、それぞれが導電性リボンを有する複数の第１および第２の末端太陽電池セルを形成する方法の流れ図である。
【図９Ａ】本明細書における少なくとも１つの実施の形態において説明された、太陽電池セルのずれ重ねられた配列を形成する方法および／またはずれ重ねられた太陽電池セルを結合する方法の流れ図を示している。
【図９Ｂ】本明細書における少なくとも１つの実施の形態において説明された、太陽電池セルのずれ重ねられた配列を形成する方法および／またはずれ重ねられた太陽電池セルを結合する方法の流れ図を示している。
【図１０Ａ】本明細書における少なくとも１つの実施の形態において説明された、太陽電池セルのずれ重ねられた配列を形成する方法および／またはずれ重ねられた太陽電池セルを結合する方法の流れ図を示している。
【図１０Ｂ】本明細書における少なくとも１つの実施の形態において説明された、太陽電池セルのずれ重ねられた配列を形成する方法および／またはずれ重ねられた太陽電池セルを結合する方法の流れ図を示している。
【図１１Ａ】本明細書における少なくとも１つの実施の形態において説明された、断続的に結合する方法の概略図である。
【図１１Ｂ】本明細書における少なくとも１つの実施の形態において説明された、断続的に結合する方法の概略図である。
【図１２Ａ】本明細書における少なくとも１つの実施の形態において説明された、ずれ重ねられた太陽電池セルの配列と、導電性バスリボンとを含む太陽電池モジュールの上面図である。
【図１２Ｂ】図１２Ａに示された、スロット付きの導電性バスリボンが取り付けられた末端ストリップ太陽電池セルの拡大された部分の上面図である。
【図１３】本明細書における少なくとも１つの実施の形態において説明された、スロット付き導電性バスリボンが取り付けられた末端ストリップ太陽電池セルを形成する方法の流れ図を示している。
【図１４】本明細書における少なくとも１つの実施の形態において説明された、スロット付き導電性バスリボンが取り付けられた末端ストリップ太陽電池セルを形成する方法の流れ図を示している。
【図１５】本明細書における少なくとも１つの実施の形態において説明された、スロット付き導電性バスリボンが取り付けられた末端ストリップ太陽電池セルを形成する方法の流れ図を示している。
【００２６】
詳細な説明
本開示の典型的な実施の形態の更なる詳細および態様を以下でより詳細に添付の図面を参照しながら説明する。
【００２７】
本開示は、太陽電池セルのストリングおよび／またはストリップの端部の変形の著しいおよび／または完全な減少により、電力を発生しかつ／または伝導するためにより効率的な、太陽電池モジュールおよびこのような太陽電池モジュールを形成する方法に関する。太陽電池セルのストリングおよびストリップの端部の変形を減じることによって、本明細書に説明される方法は、亀裂および／または微小亀裂が、あったとしても少ない、より平坦な、より効率的な太陽電池モジュールを提供する。
【００２８】
本開示は、太陽電池モジュール、特に、ストリングおよび／またはずれ重ねられたストリップの形成の前におよび／またはストリングおよび／またはずれ重ねられたストリップの形成とは別個に導電性バスリボンが付加された太陽電池セルのずれ重ねられたストリップのストリングから形成された太陽電池モジュール、に関する。実施の形態において、導電性バスリボンは、残りのストリングの形成の前におよび／または残りのストリングの形成とは別個に、末端ストリップ太陽電池セルを形成するために太陽電池セルの１つのストリップに取り付けられる。ストリングおよび／またはずれ重ねられた残りのストリップの前におよび／またはストリングおよび／またはずれ重ねられた残りのストリップとは別個にバスリボンを取り付けることによって、取付け中に生じるあらゆる変形が、形成された末端ストリップのみに限定され、末端ストリップと、隣接するずれ重ねられたストリップとの間の結合部に亀裂および／または微小亀裂を生じる可能性がない。なぜならば、２つのストリップはまだ互いに結合されていないからである。
【００２９】
当業者は、ずれ重ねプロセスによって太陽電池モジュールを形成するとき、一般的に１５６mm×１５６mmの太陽電池セルが複数のピースに切断されることを認識するであろう。太陽電池セルに応じて、太陽電池セルが切断されるのは２、３、４、５、６またはそれ以上のピースであってもよい。これらの各ピースは、一般的に、ストリップと呼ばれる。このプロセスの詳細は、２０１８年４月３日に発行され、引用したことによって本明細書に組み込まれる、“Shingled Array Solar Cells and Method of Manufacturing Solar Modules Including the Same”という発明の名称の、Zhou他に付与された米国特許第９９３５２２１号明細書において見ることができる。’２２１特許において説明されかつさらに本明細書において説明されるこれらのストリップは、ストリングを形成するために、重なり合いかつ電気的に接続された形式で互いに接着させられる。複数のストリングは、１つのセットを形成するように並列で電気的に接続され、２つ以上のセットが、太陽電池モジュールを形成するために直列で接続されてもよい。
【００３０】
幾つかの実施の形態において、ずれ重ねられたストリップのストリングの形成の前におよび／またはずれ重ねられたストリップのストリングの形成とは別個に、末端ストリップ太陽電池セル（バスリボンを含む）を形成するために少なくとも１つの導電性バスリボンを太陽電池セルの少なくとも１つのストリップに取り付けることを含む、太陽電池モジュールを形成する方法が説明される。幾つかの実施の形態において、ずれ重ねられたストリップのストリングの形成の前におよび／またはずれ重ねられたストリップのストリングの形成とは別個に、第１の末端ストリップ太陽電池セルを形成するために第１の導電性バスリボンを太陽電池セルの第１のストリップに取り付け、第２の末端ストリップ太陽電池セルを形成するために第２の導電性バスリボンを太陽電池セルの第２のストリップに取り付けることを含む、太陽電池モジュールを形成する方法が説明される。
【００３１】
導電性バスリボンは、太陽電池セルのずれ重ねられたストリップのストリングによって発生された電気出力を１つのストリングから別の隣接するストリングへ伝送するように設計および構成されている。導電性バスリボンは、一般的に、伝導性金属材料から製造されている。電気を効率的に伝導する適切な金属材料の幾つかの例は、銅、金、銀、すず、鉄、ニッケル、鉛などを含む。加えて、導電性リボンは、銅を保護するのみならず、太陽電池セルへのより良好な結合も提供する合金によって被覆されてもよい。適切な合金の幾つかの非制限的な例は、Pb／Sn、Pb／Sn／Ag、Sn／Ag、Bi／Sn／Agなどを含む。
【００３２】
導電性バスリボンは、導電性接着剤（ECA）の使用および／またははんだの使用を含むが、これに限定されない当業者に公知のあらゆる適切な方法によって、太陽電池セルのストリップに取り付ける、すなわち、固定、定着、結合などすることができる。適切なECAの幾つかの非制限的な例は、アクリルベースECA、エポキシベースECAおよびシリコーンベースECAを含む。幾つかの実施の形態において、太陽電池セルの末端ストリップを形成するために、バスリボンを太陽電池セルのストリップにはんだ付けによって取り付けることができる。幾つかの実施の形態において、太陽電池セルの末端ストリップを形成するために、バスリボンを太陽電池セルのストリップにECAによって取り付けることができる。
【００３３】
末端ストリップ太陽電池セルが形成されると、すなわち、バスリボンが太陽電池セルのストリップに電気的に取り付けられると、太陽電池セルのあらゆる数の中間ストリップを、少なくとも１つの末端ストリップにずれ重ねられた構成において接続することができる。幾つかの実施の形態において、太陽電池セルの中間ストリップは、太陽電池セルの２つの末端ストリップの間に配置される。幾つかの実施の形態において、複数の中間ストリップは、中間ストリップの一方の端部における第１の末端ストリップおよび中間ストリップの第２の反対側の端部における第２の末端ストリップの付加の前に、ずれ重ねられた構成において互いに接続される。太陽電池セルの中間ストリップは、太陽電池セルの末端ストリップとは異なり、バスリボンに直接取り付けられない。
【００３４】
ここで図面を参照すると、本開示の図２から図１１は、モジュールおよび／または太陽電池セルのずれ重ねられたストリップのストリングを形成するための、コスト効率がよく、より容易に大量生産することができかつ労力がより少ない、本明細書において説明される様々な方法を示している。加えて、製造されるモジュールおよび／または太陽電池セルのずれ重ねられたストリップのストリングは、変形させられない、すなわち、曲げられないまたは弓なりにされないかつ／または取付けの後にセルに亀裂および／または微小亀裂の発生を減少させる導電性バスリボンを有する。
【００３５】
図２Ａに示したように、幾つかの実施の形態において、太陽電池セルのずれ重ねられた配列を形成するための本明細書に説明された方法および／またはずれ重ねられた太陽電池セルを結合する方法は、第１の末端ストリップ太陽電池セル２１８aを形成するために導電性バスリボン２２０を太陽電池セルのストリップに接合することを含んでもよい。太陽電池セルのストリップのずれ重ねられた構成２１４の形成の前にかつ／または太陽電池セルのストリップのずれ重ねられた構成２１４の形成とは別個に、バスリボン２２０は太陽電池セルのストリップに取り付けられる。第１の末端太陽電池セル２１８aがあらゆる付加的な太陽電池セルと組み合わされる前にかつ／または太陽電池セルのストリップ２１８bからfのストリング２１６の形成の前に、導電性リボン２２０が太陽電池セルのストリップに固定される。
【００３６】
このような方法の上面図２００aおよび下面図２２０bが図２Ａに示されており、太陽電池セルの少なくとも１つの中間ストリップ２１８bから２１８f（例えば、導電性バスリボンが取り付けられていない太陽電池セルのストリップ）が、第１の導電性リボン２２０を有する第１の末端太陽電池セル２１８aに接続される。下面図２００bに示したように、第１の導電性リボン２２０は、第１の末端ストリップ２１８a太陽電池セルの裏側および第１の末端ストリップ２１８a太陽電池セルの第１の遠位側端部２１４aに配置される。少なくとも第１の中間ストリップ太陽電池セル２１８bが、ずれ重ねられた形式で第１の末端ストリップ２１８a太陽電池セルの第２の近位側端部２１４bの表側に接続、接着および／またははんだ付けされる。太陽電池セルのあらゆる付加的な中間ストリップ２１８cから２１８fは、その後、ずれ重ねられた形式で太陽電池セルの隣接する中間ストリップに接続される（連続した点は、ストリングが、第１の末端ストリップ２１８a太陽電池セルと第２の末端ストリップ太陽電池セルとの間に配置された太陽電池セルのあらゆる数の中間ストリップを有してもよいことを表すことを意図したものである）。本明細書に説明された太陽電池セルの各ストリップは、当業者に公知のように、ずれ重ねられた形式で太陽電池セルの隣接するストリップに電気的に接続（接着、はんだ付けおよび／または隣接するストリップの間のタブ付きリボン）される。
【００３７】
第２の導電性リボン２２２は、第２の末端ストリップ２１８g太陽電池セルを形成するために太陽電池セル２１８fの最後の中間ストリップの第２の近位側端部２１７bに付加される。ストリップ２１８aからe，２１８g太陽電池セルのストリング２１６は、ずれ重ねられた形式で、太陽電池セルの第１の末端ストリップ２１８aから、太陽電池セル２１８gの第２の末端ストリップまで延び、第１の導電性リボン２２０はストリング２１６の第１の遠位側端部２１３aに固定され、第２の導電性リボン２２２はストリング２１６の第２の近位側端部２１３b上にある。
【００３８】
図２Ａの上面図２００aから見ることができるように、幾つかの実施の形態において、第１の導電性リボン２２０は上面図では見えない。なぜならば、第１の導電性リボン２２０は、第１の末端ストリップ２１８a太陽電池セルの裏側に接続、特にはんだ付けされており、第１の末端ストリップ２１８a太陽電池セルの第１の遠位側端部２１４aを越えて突出していないからである。しかしながら、幾つかの実施の形態において、図２の下面図２００bに示したように、第１の導電性リボン２２０は、幾つかの例において第１の末端ストリップ２１８a太陽電池セルの第１の遠位側端部２１４aを越えて突出してもよく、下面図および／または上面図において見えてもよい。
【００３９】
幾つかの実施の形態において、図２Ｂに示したように、ストリップ２１８が変形するのを制限および／または防止するために、ストリップ２１８へのバスリボン２２０の取付けの前にかつ／またはストリップ２１８へのバスリボン２２０の取付けの間に、ストリップ２１８の両側でないとしても少なくとも一方の側に矯正固定具２２５を配置することができる。矯正固定具２２５は、末端ストリップ２１８aを形成するためにバスリボン２２０をストリップ２１８に接続するプロセスの間にストリップ２１８がいかなる形式においても曲がる、弓なりになるかつ／または変形することを防止するために、十分な剛性を示しかつ／または太陽電池セルのストリップ２１８に対して十分な力を加えるように構成および設計されている。
【００４０】
幾つかの実施の形態において、特に図２Ｂに示したように、矯正固定具２２５は、ストリップの変形を制限および／または防止するために、バスリボンをストリップに取り付けるプロセスの間、太陽電池セルおよび／または太陽電池セルのストリップに十分な大きさの力を加えるように設計されたプレスであってもよい。
【００４１】
幾つかの実施の形態において、本明細書に説明された矯正固定具は、ストリップにバスリボンを取り付けるプロセスの間、太陽電池セルおよび／または太陽電池セルのストリップより大きな剛さを維持することができる材料から成る１つのシートであってもよい。例えば、矯正固定具は、一般的にストリップへのバスリボンのはんだ付けおよび／または接着に関連したより高い温度に耐えることができる鉄および／またはステンレス鋼などの金属材料から形成されてもよい。幾つかの実施の形態において、１つのシートは、万力および／またはクランプまたはストリップおよび固定具の両方に力を加えることができるあらゆるその他の装置などのファスナを使用して、太陽電池セルのストリップに固定されてもよい。
【００４２】
幾つかの実施の形態において、矯正固定具は、ボンディングを形成するために最初に高温に曝されたリボンと末端ストリップとの間のボンディングの冷却後に平坦になる湾曲形状に太陽電池ストリップを押し付ける予め湾曲した面に形成されてもよい。
【００４３】
図２Ｃに示したように、ストリップ２１８へのバスリボン２２０の付加は、ストリングおよび／またはずれ重ねられたストリップの形成の前にかつ／またはストリングおよび／またはずれ重ねられたストリップの形成とは別個に、より平坦で、かつボンドがまだ存在しないために太陽電池セルの隣接する中間ストリップの間の結合に亀裂および／または微小亀裂を生じない末端ストリップを形成する。
【００４４】
図３から図５に示したように、幾つかの実施の形態において、本明細書に説明された方法は、太陽電池セルのあらゆるストリップを互いにずれ重ねられた構成において接続する前に太陽電池セルの、複数でないとしても少なくとも１つの第１の末端ストリップ（第１の導電性バスリボンを含む）を形成することを含んでもよい。図３から図５にさらに示したように、幾つかの実施の形態において、本明細書に説明された方法は、太陽電池セルのあらゆるストリップを互いにずれ重ねられた構成において接続する前に太陽電池セルの、複数でないとしても少なくとも１つの第２の末端ストリップ（第２の導電性バスリボンを含む）を形成することを含んでもよい。
【００４５】
幾つかの実施の形態において、本明細書に説明された方法は、大規模生産に適していることがあり、大規模生産は、太陽電池セルの複数の第１の末端ストリップであって、各第１の末端ストリップは、その端部において第１の導電性バスリボンに接続された太陽電池セルのストリップを有する、太陽電池セルの複数の第１の末端ストリップとおよび／または太陽電池セルの複数の第２の末端ストリップであって、各第２の末端ストリップは、その端部において第２の導電性バスリボンに接続された太陽電池セルのストリップを有する、太陽電池セルの複数の第２の末端ストリップとの、予備製造を必要とすることがある。予備製造によって、複数の末端ストリップは、ずれ重ねられる前にかつ／またはあらゆる構成、特にずれ重ねられた構成において太陽電池セルのあらゆる付加的なストリップに接続される前に、形成される。太陽電池セルの第１および／または第２の末端ストリップにおける第１および第２の導電性バスリボンの配置は、変化してもよく、太陽電池セルの任意の末端ストリップの裏側または表側（太陽光が当たる側）および／または太陽電池セルの任意の末端ストリップの端部から突出してもよいまたは突出しなくてもよい形式のものを含む。
【００４６】
図３において、太陽電池セルの複数の第１の末端ストリップ３２１a，３２１bが示されている。各第１の末端ストリップ３２１a，３２１bは、それぞれ太陽電池セル３１９a，３１９bの端部３１６a，３１６bに固定された、第１の導電性バスリボン３２０a，３２０bをそれぞれ有する。第１の導電性リボン３２０aは、太陽電池セルの第１の末端ストリップ３２１aのエッジを越えて突出することなく太陽電池セル３１９aの裏側に示されている。第１の導電性リボン３２０bは、太陽電池セルの第１の末端ストリップ３２１bのエッジを越えて突出して、太陽電池セル３１９ｂの裏側に示されている。
【００４７】
図３は、太陽電池セル３２４の端部３１６cに固定された第２の導電性バスリボン３２２を有する太陽電池セルの少なくとも１つの第２の末端ストリップ３２３も示している。太陽電池セルの第２の末端ストリップ３２３のエッジを越えて突出した太陽電池セル３２４に配置された第２の導電性バスリボン３２２を有する太陽電池セルの第２の末端ストリップ３２３が示されている。
【００４８】
図３に示された、太陽電池セルの末端ストリップの予備製造は、幾つかの実施の形態において、本明細書に説明された矯正固定具の使用を含んでもよい。幾つかの実施の形態において、図３に示された、末端ストリップの予備製造は、矯正固定具の使用を含まなくてもよい。
【００４９】
幾つかの実施の形態において、例えば図４Ａおよび図４Ｂに示したように、太陽電池セルのずれ重ねられた配列を形成するための本明細書に説明された方法および／またはずれ重ねられた太陽電池セルを結合する方法は、導電性リボン３２０a，３２０bを含む第１の末端太陽電池セル３２１a，３２１bを提供することにより開始することおよび／または導電性リボン３２０a，３２０bを含む第１の末端太陽電池セル３２１a，３２１bを最初に提供すること、を含んでもよい。図４Ａにおいて、第１の導電性リボン３２０aは、第１の末端太陽電池セル３２１aを形成するために太陽電池セル３１９aの裏側に固定され、第１の導電性リボン３２０aは、第１の末端太陽電池セル３２１aの上面図では見えていない。図４Ｂにおいて、第１の導電性リボン３２０bは、第１の末端太陽電池セル３２１bを形成するために太陽電池セル３１９bの裏側に固定され、第１の導電性リボン３２０bは、第１の末端太陽電池セル３２１bの上面図において見えている。
【００５０】
図４Ａおよび図４Ｂに示したように、第１および／または第２の末端ストリップ３２１a，３２１b，３２３のうちの少なくとも１つの形成の後、本明細書に説明された方法は、さらに、第１の末端ストリップ３２１a，３２１b太陽電池セルに太陽電池セルの少なくとも１つの中間ストリップ３１７aから３１７eを接続する工程を含んでもよい。太陽電池セルの少なくとも第１の中間ストリップ３１７aが、ずれ重ねられた形式で第１の末端ストリップ３２１a，３２１b太陽電池セルの第２の近位側端部３１６d，３１６eの表側に接続（例えば、接着、タブ付けおよび／またははんだ付け）される。太陽電池セルのあらゆる付加的な中間ストリップ３１７bから３１７eは、その後、ずれ重ねられた形式で太陽電池セルの隣接する中間ストリップに接続される（連続した点は、ストリングが、第１の末端ストリップ３２１a，３２１b太陽電池セルと第２の末端ストリップ３２３太陽電池セルとの間に配置された太陽電池セルのあらゆる数の中間ストリップを有してもよいことを表すことを意図したものである）。本明細書に説明された太陽電池セルの各中間ストリップは、当業者に公知のように、ずれ重ねられた形式で太陽電池セルの隣接するストリップに電気的に接続（接着、タブ付けおよび／またははんだ付け）される。
【００５１】
図４Ａおよび図４Ｂにさらに示したように、第２の末端ストリップ３２３太陽電池セルは、太陽電池セルおよび／またはストリング３１５a，３１５bの第２の末端ストリップ３２３の近位側端部３１６cから延びる第２の導電性バスリボン３２２を備える最後の中間ストリップ３１７e太陽電池セルに接続される。ストリング３１５a，３１５bは、ずれ重ねられた形式で第１の末端ストリップ３２１a，３２１b太陽電池セルから第２の末端ストリップ３２３太陽電池セルまで延びておりかつストリング３１５a，３１５bの第１の遠位側端部３１６a，３１６bにおける第１の導電性バスリボン３２０およびストリング３１５a，３１５bの第２の近位側端部３１６cにおける第２の導電性バスリボン３２２を含む太陽電池セル３１７aからe，３１９a，３１９b，３２４のストリップの組合せを有するように示されている。
【００５２】
図４Ａから見ることができるように、幾つかの実施の形態において、第１の導電性バスリボン３２０aは上面図では見えない。なぜならば、第１の導電性バスリボン３２０aは、太陽電池セルの第１の末端ストリップ３２１aの裏側に接続、特にはんだ付けされており、太陽電池セルの第１の末端ストリップ３２１aの第１の遠位側端部３１６aを越えて突出していないからである。しかしながら、幾つかの実施の形態において、図４Ｂに示したように、第１の導電性バスリボン３２０bは、太陽電池セルの第１の末端ストリップ３２１bの第１の遠位側端部３１６bを越えて突出してもよく、ストリング３１５bの下面図および／または上面図において見えていてもよい。
【００５３】
幾つかの実施の形態において、例えば図５Ａおよび図５Ｂに示したように、太陽電池セルのずれ重ねられた配列を形成するための本明細書に説明された方法および／またはずれ重ねられた太陽電池セルを結合する方法は、導電性バスリボン３２０a，３２０bを有する太陽電池セルの第１の末端ストリップ３２１a，３２１bを提供することにより開始することおよび／または導電性バスリボン３２０a，３２０bを有する太陽電池セルの第１の末端ストリップ３２１a，３２１bを最初に提供すること、を含んでもよい。図５Ａにおいて、第１の導電性バスリボン３２０aは、第１の末端ストリップ３２１a太陽電池セルを形成するために太陽電池セル３１９aのストリップの裏側に固定され、第１の導電性バスリボン３２０aは、第１の末端ストリップ太陽電池セル３２１aの上面図では見えていない。図５Ｂにおいて、第１の導電性バスリボン３２０bは、第１の末端ストリップ３２１b太陽電池セルを形成するために太陽電池セル３１９bのストリップの表側に固定され、第１の導電性バスリボン３２０bは、太陽電池セルの第１の末端ストリップ３２１bの上面図において見えている。
【００５４】
図５Ａおよび図５Ｂに示したように、太陽電池セルの第１および／または第２の末端ストリップ３２１a，３２１b，３２３のうちの少なくとも１つの形成の後、本明細書に説明された方法は、幾つかの実施の形態において、太陽電池セルの少なくとも１つの中間ストリップ３１７aからeの付加および／または接続の前に太陽電池セルの第１の末端ストリップ３２１a，３２１bの少なくとも１つの側、特に図示したように少なくとも表側（太陽光が当たる側）に第１の矯正固定具３２５a，３２５bを配置する工程を含んでもよい。第１の矯正固定具３２５a，３２５bは、第１の中間ストリップ３１７aを第１の末端ストリップ３２１a，３２１bに接続するプロセスの間に第１の末端ストリップ３２１a，３２１bがいかなる形式においても曲がる、弓なりになるかつ／または変形することを防止するために、十分な剛性を示しかつ／または第１の末端ストリップ３２１a，３２１bに対して十分な力を加えるように構成および設計されている。これにより、少なくとも第１の中間ストリップ３１７aの接続前に、第１の矯正固定具３２５a，３２５bを第１の末端ストリップ３２１a，３２１bの少なくとも一方の側に配置することができ、少なくとも第１の中間ストリップ３１７aが第１の末端ストリップ３２１a，３２１bに電気的に接続されかつ固定されるまで第１の末端ストリップ３２１a，３２１bの少なくとも一方の側における位置にとどめることができる。実施の形態において、第１の矯正固定具３２５a，３２５bは、太陽電池セルのずれ重ねられた配列を形成するプロセス全体の間、第１の末端ストリップ３２１a，３２１bの少なくとも一方の側に配置されてもよい。幾つかの実施の形態において、矯正固定具３２５a，３２５bは、第２の末端ストリップ３２３および／または付加的な中間ストリップ３１７bからeのうちのいずれかの接続前に、第１の末端ストリップ３２１a，３２１bの少なくとも一方の側から取り外されてもよい。
【００５５】
さらに図５Ａおよび図５Ｂに示したように、幾つかの実施の形態において、第１の矯正固定具３２５a，３２５bは、ずれ重ねられた形式での第１の中間ストリップ３１７aとの接続後に第１の末端ストリップ３２１a，３２１bから取り外される。あらゆる付加的な中間ストリップ３１７bから３１７eは、その後、ずれ重ねられた形式で隣接する中間ストリップに接続される（連続した点は、ストリングが、太陽電池セルの第１の末端ストリップ３２１a，３２１bと第２の末端ストリップ３２３との間に配置されたあらゆる数の中間ストリップを有してもよいことを表すことを意図したものである）。本明細書に説明された各中間ストリップは、当業者に公知のように、ずれ重ねられた形式で隣接するストリップに電気的に接続（接着、タブ付けおよび／またははんだ付け）される。
【００５６】
さらにまた図５Ａおよび図５Ｂに示したように、第２の矯正固定具３３０a，３３０bを、最後の中間太陽電池ストリップ３１７eへの第２の末端ストリップ３２３の付加および／または接続の前に第２の末端ストリップ３２３の少なくとも一方の側、特に図示したように少なくとも表側に配置することができる。第２の矯正固定具３３０a，３３０bは、第２の末端ストリップ３２３に最後の中間ストリップ３１７eを接続するプロセスの間に第２の末端ストリップ３２３が曲がる、弓なりになるおよび／またはあらゆる形式で変形することを防止するために十分な剛性を示すように構成および設計されている。これにより、少なくとも最後の中間ストリップ３１７eへの接続前に、第２の矯正固定具３３０a，３３０bを第２の末端ストリップ３２３の少なくとも一方の側に配置することができ、少なくとも最後の中間ストリップ３１７eが第２の末端ストリップ３２３に電気的に接続されかつ固定されるまで第２の末端ストリップ３２３の少なくとも一方の側における位置にとどめることができる。第２の末端ストリップ３２３は、ストリップ３２４および／または第２の末端ストリップ３２３および／またはストリング３１５a，３１５bの近位側端部３１６cから延びる第２の導電性リボン３２２を備えて最後の中間ストリップ３１７eに接続されている。ストリング３１５a，３１５bは、ずれ重ねられた形式で第１の末端ストリップ３２１a，３２１bから第２の末端ストリップ３２３まで延びておりかつストリング３１５a，３１５bの第１の遠位側端部３１６a，３１６bにおける第１の導電性リボン３２０およびストリング３１５a，３１５bの第２の近位側端部３１６cにおける第２の導電性リボン３２２を含む、太陽電池セルのストリップ３１７aからe，３１９a，３１９b，３２４の組合せを有する。
【００５７】
図５Ａから見ることができるように、幾つかの実施の形態において、第１の導電性リボン３２０aは上面図では見えない。なぜならば、第１の導電性リボン３２０aは、第１の末端ストリップ３２１aの裏側に接続、特にはんだ付けされており、第１の末端ストリップ３２１aの第１の遠位側端部３１６aを越えて突出していないからである。しかしながら、幾つかの実施の形態において、図５Ｂに示したように、幾つかの実施の形態において、第１の導電性リボン３２０bは、幾つかの例において、第１の末端ストリップ３２１bの第１の遠位側端部３１６bを越えて突出してもよく、ストリング３１５bの下面図および／または上面図において見えていてもよい。
【００５８】
ここで図６から図１０を参照すると、導電性バスリボンは、接着剤を使用して、太陽電池セルの末端ストリップを形成するように太陽電池セルのストリップに接合される。太陽電池セル製造における使用および特に導電性リボンを太陽電池セルに電気的に接続および／または固定するために適したあらゆる接着剤を使用することができる。ある実施の形態では、使用される接着剤は、導電性接着剤である。
【００５９】
幾つかの実施の形態において、例えば図６に示したように、太陽電池セルのずれ重ねられた配列を形成するための本明細書に説明された方法および／またはずれ重ねられた太陽電池セルを結合する方法は、太陽電池セルのずれ重ねられたストリップのストリングの形成の前に第１の末端ストリップ４２１a太陽電池セルを形成するために導電性バスリボン４２０を太陽電池セルのストリップ４１０aに接合することを含んでもよい。幾つかの実施の形態において、第１の末端ストリップ４２１a太陽電池セルが太陽電池セルのあらゆる付加的なストリップ４１０bからfと組み合わされる前にかつ／または太陽電池セルのずれ重ねられたストリップのストリング４１５の形成の前に、導電性バスリボン４２０が接着剤４１８によって太陽電池セルのストリップ４１０aに接着される。接着剤４１８を、導電性バスリボン４２０の少なくとも一方の側および／または太陽電池のストリップ４１０aの少なくとも一方の側に塗布することができる。接着剤４１８の実線として示されているが、接着剤は、点状、破線状および／または不連続パターンなどのあらゆる構成で導電性バスリボンおよび／または太陽電池セルのストリップに塗布されてもよいと考えられる。
【００６０】
さらに図６に示したように、太陽電池セルの第１の末端ストリップ４２１の形成後、すなわち、第１の導電性バスリボン４２０が太陽電池セルのストリップ４１０aに接着された後、太陽電池セルの少なくとも１つの中間ストリップ４１０bから４１０fは、ずれ重ねられた配列で太陽電池セルの第１の末端ストリップ４２１に電気的に接続される。例示したように、第１の導電性バスリボン４２０は、太陽電池セルの第１の末端ストリップ４２１の第１の遠位側端部４１６aに配置され、太陽電池セルの第１の中間ストリップ４１０bは、ずれ重ねられた形式で太陽電池セルの第１の末端ストリップ４２１の第２の近位側端部４１６bに接続、接着、タブ付けおよび／またははんだ付けされる。太陽電池セルのあらゆる付加的な中間ストリップ４１０cから４１０fは、その後、ずれ重ねられた形式で太陽電池セルの隣接する中間ストリップに接続される（連続した点は、ストリングが、第１の末端太陽電池セルと第２の末端太陽電池セルとの間に配置されたあらゆる数の中間太陽電池セルを有してもよいことを表すことを意図したものである）。本明細書に説明された太陽電池セルの各中間ストリップは、当業者に公知のように、ずれ重ねられた形式で、隣接する太陽電池セルに電気的に接続（接着、タブ付けおよび／またははんだ付け）される。
【００６１】
第２の導電性バスリボン４２２は、第２の末端ストリップ４２３太陽電池セルを形成するために最後の中間ストリップ４１０f太陽電池セルの第２の近位側端部４１７bに接着される。第２のバスリボン４２２を太陽電池セルの最後の中間ストリップ４１０fと組み合せ、太陽電池セルの第２の末端ストリップ４２３を形成するために、第２の導電性バスリボン４２２および／または太陽電池セルの最後の中間ストリップ４１０fのあらゆる部分に、第２の接着剤４１９を塗布することができる。ストリング４１５は、ストリング４１５の第１の遠位側端部４１８aにおける第１の導電性バスリボン４２０およびストリング４１５の第２の近位側端部４１８bにおける第２の導電性バスリボン４２２を備える、第１の末端ストリップ４２１から始まりかつ中間ストリップを通って第２の末端ストリップ４２３まで延びる、太陽電池の複数のずれ重ねられたストリップを有する。
【００６２】
幾つかの実施の形態において、ストリップ４１０aが変形するのを制限および／または防止するために、ストリップ４１０aへのバスリボン４２０の取付けの前および／またはストリップ４１０aへのバスリボン４２０の取付けの間に、ストリップ４１０aの少なくとも一方の側または両側に矯正固定具を配置することができる。
【００６３】
幾つかの実施の形態において、例えば図７に示したように、太陽電池セルのずれ重ねられた配列を形成するための本明細書に説明された方法および／またはずれ重ねられた太陽電池セルを結合する方法は、ずれ重ねられた太陽電池セルのストリングの形成の前に第１の末端ストリップ５２１太陽電池セルを形成するために導電性バスリボン５２０を太陽電池セルのストリップ５１０aに接合することを含んでもよい。幾つかの実施の形態において、第１の末端ストリップ５２１が太陽電池セルのあらゆる付加的なストリップ５１０bからfと組み合わされる前にかつ／またはずれ重ねられた太陽電池セルのストリング５１５の形成の前に、導電性バスリボン５２０が接着剤５１８によって太陽電池セルのストリップ５１０aに接着される。接着剤５１８を、導電性バスリボン５２０の少なくとも一方の側および／または太陽電池セルのストリップ５１０aの少なくとも一方の側に塗布することができる。接着剤５１８の実線として示されているが、接着剤は、点状、破線状および／または不連続パターンなどのあらゆる構成で導電性バスリボンおよび／または太陽電池セルのストリップに塗布されてもよいと考えられる。
【００６４】
さらに図７に示したように、太陽電池セルの第１の末端ストリップ５２１の形成後、すなわち、第１の導電性バスリボン５２０が太陽電池セルのストリップ５１０aに接着された後、太陽電池セルの少なくとも１つの中間ストリップ５１０bからfへの第１の末端ストリップ５２１の付加および／または接続の工程の前に、第１の矯正固定具５２５が、第１の末端ストリップ５２１の少なくとも一方の側、特に図示したように第１の末端ストリップ５２１の少なくとも表側に配置される。第１の矯正固定具５２５は、第１の末端ストリップ５２１に第１の中間ストリップ５１０bを接着するプロセスの間に第１の末端ストリップ５２１が曲がる、弓なりになるおよび／またはあらゆる形式で変形することを防止するために十分な剛性を示すように構成および設計されている。これにより、少なくとも第１の中間ストリップ５１０bの接続前に、第１の矯正固定具５２５を第１の末端ストリップ５２１の少なくとも一方の側に配置することができ、少なくとも第１の中間ストリップ５１０bが第１の末端ストリップ５２１に電気的に接続されかつ固定されるまで第１の末端ストリップ５２１の少なくとも一方の側における位置にとどめることができる。実施の形態において、第１の矯正固定具５２５は、太陽電池セルのずれ重ねられた配列を形成するプロセス全体の間、第１の末端ストリップ５２１の少なくとも一方の側に配置されてもよい。幾つかの実施の形態において、矯正固定具５２５は、太陽電池セルの第２の末端ストリップおよび／または付加的な中間ストリップ５１０bからfのうちのいずれかの接続前に、第１の末端ストリップ５２１の少なくとも一方の側から取り外されてもよい。
【００６５】
さらに図７に示したように、幾つかの実施の形態において、第１の矯正固定具５２５は、ずれ重ねられた形式での第１の中間ストリップ５１０bとの接続後に第１の末端ストリップ５２１から取り外される。あらゆる付加的な中間ストリップ５１０bからfは、その後、ずれ重ねられた形式で隣接する中間ストリップに接続される（連続した点は、ストリングが、第１の末端ストリップ５２１と第２の末端ストリップ５２３との間に配置されたあらゆる数の中間ストリップを有してもよいことを表すことを意図したものである）。本明細書に説明された各中間ストリップは、当業者に公知のように、ずれ重ねられた形式で隣接する太陽電池セルに電気的に接続（接着および／またははんだ付け）される。
【００６６】
第２の導電性リボン５２２は、第２の末端ストリップ５２３を形成するために最後の中間ストリップ５１０fの第２の近位側端部５１７bに接着される。第２のリボン５２２を最後の中間ストリップ５１０fと組み合せ、第２の末端ストリップ５２３を形成するために、第２の導電性リボン５２２および／または最後の中間ストリップ５１０fのあらゆる部分に、第２の接着剤５１９を塗布することができる。太陽電池セルのストリング５１５は、ずれ重ねられた形式で第１の末端ストリップ５２１から第２の末端ストリップ５２３まで延びており、ストリング５１５の第１の遠位側端部５１８aにおける第１の導電性リボン５２０およびストリング５１５の第２の近位側端部５１８bにおける第２の導電性リボン５２２を含む。
【００６７】
図８から図１０Ｂに示したように、幾つかの実施の形態において、本明細書に説明された方法は、あらゆるストリップをずれ重ねられた配列で互いに接続する前に、第１の導電性リボンを含む、複数でないとしても少なくとも１つの第１の末端ストリップを形成することを含んでもよい。さらに図８から図１０Ｂに示したように、幾つかの実施の形態において、本明細書に説明された方法は、あらゆるストリップをずれ重ねられた配列で互いに接続する前に、第２の導電性リボンを含む、複数でないとしても少なくとも１つの第２の末端ストリップを形成することを含んでもよい。実施の形態において、本明細書に説明された方法は、大規模生産に適していてもよく、大規模生産は、あらゆるストリップを互いにずれ重ねられた配列で接続する前に、それぞれ第１の導電性リボンを有する複数の第１の末端ストリップおよび／またはそれぞれ第２の導電性リボンを有する複数の第２の末端ストリップを必要とすることがある。第１および／または第２の末端ストリップにおける第１および第２の導電性リボンの配置は、変化してもよく、任意の末端ストリップの裏側または表側および／または任意の末端ストリップの端部から突出してもよいまたは突出しなくてもよい形式のものを含む。
【００６８】
図８において、太陽電池セルの第１および／または第２の末端ストリップ６２１a，６２１b，６２３の形成前に、第１の接着剤６１８は、第１の導電性リボン６２０および第１の太陽電池セル６１０の一部に塗布されて示されており、第２の接着剤６１９は、第２の導電性リボン６２２および第２の太陽電池セル６１１の一部に塗布されて示されている。図８は、さらに、少なくとも１つの第１の末端ストリップ６２１a，６２１bの形成を示しており、第１の導電性リボン６２０a，６２０bは、太陽電池セル６１０a，６１０bの遠位側端部６１６a，６１６bに接着される。第１の末端ストリップ６２１aは、太陽電池セル６１０aの裏側に接着されかつ第１の太陽電池セル６１０aの遠位側端部６１６aを越えて突出していない第１の導電性リボン６２０aを有する。第１の末端ストリップ６２１bは、第１の太陽電池セル６１０bの端部６１６bを越えて突出した、太陽電池セル６１０bの裏側に接着された第１の導電性リボン６２０bを示している。
【００６９】
図８は、太陽電池セル６１１の近位側端部６１６cに固定された第２の導電性リボン６２２を有する少なくとも１つの第２の末端ストリップ６２３も示している。第２の末端ストリップ６２３は、第２の末端ストリップ６２３の端部６１６cを越えて突出した、太陽電池セル６２４に接着された第２の導電性リボン６２２を有するように示されている。
【００７０】
幾つかの実施の形態において、例えば図９Ａおよび図９Ｂに示したように、太陽電池セルのずれ重ねられた配列を形成するための本明細書に説明された方法および／またはずれ重ねられた太陽電池セルを結合する方法は、導電性リボン６２０a，６２０bを含む第１の末端ストリップ６２１a，６２１bを提供することにより開始することおよび／または導電性リボン６２０a，６２０bを含む第１の末端ストリップ６２１a，６２１bを最初に提供することを含んでもよい。図９Ａにおいて、第１の導電性リボン６２０aは、第１の末端ストリップ６２１aを形成するために太陽電池セルストリップ６１０aの裏側に第１の接着剤６１８によって接着され、第１の導電性リボン６２０aは、第１の末端ストリップ６２１aの上面図では見えていない。図９Ｂにおいて、第１の導電性リボン６２０bは、第１の末端ストリップ６２１bを形成するために太陽電池セル６１９bの裏側に第２の接着剤６１９によって接着され、第１の導電性リボン６２０bは、第１の末端ストリップ６２１bの上面図において見えている。
【００７１】
図９Ａおよび図９Ｂに示したように、第１および／または第２の末端ストリップ６２１a，６２１b，６２３のうちの少なくとも１つの形成の後、太陽電池セルの少なくとも１つの中間ストリップ６１２aからeが第１の末端ストリップ６２１a，６２１bに接続される。少なくとも第１の中間ストリップ６１２aが、ずれ重ねられた形式で第１の末端ストリップ６２１a，６２１bの第２の近位側端部６１６d，６１６eの表側に接続、接着および／またははんだ付けされる。あらゆる付加的な中間ストリップ６１２bから６１２eは、その後、ずれ重ねられた形式で隣接する中間ストリップに接続される（連続した点は、ストリングが、第１の末端ストリップ６２１a，６２１bと第２の末端ストリップ６２３との間に配置されたあらゆる数の中間ストリップを有してもよいことを表すことを意図したものである）。本明細書に説明された各中間ストリップは、当業者に公知のように、ずれ重ねられた形式で太陽電池セルの隣接するストリップに電気的に接続（接着および／またははんだ付け）される。
【００７２】
さらに図９Ａおよび図９Ｂに示したように、第２の末端ストリップ６２３は、太陽電池セル６２４および／または第２の末端ストリップ６２３および／またはストリング６１５a，６１５bの近位側端部６１６cから延びる第２の導電性リボン６２２を備えて最後の中間ストリップ６１２eに接続されている。ストリング６１５a，６１５bは、ずれ重ねられた形式で第１の末端ストリップ６２１a，６２１bから第２の末端ストリップ６２３まで延びておりかつストリング６１５a，６１５bの第１の遠位側端部６１６a，６１６bにおける第１の導電性リボン６２０およびストリング６１５a，６１５bの第２の近位側端部６１６cにおける第２の導電性リボン６２２を含む、太陽電池セル６１２aからe，６１９a，６１９b，６２４の組合せを有する。
【００７３】
図９Ａから見ることができるように、幾つかの実施の形態において、第１の導電性リボン６２０aは上面図では見えない。なぜならば、第１の導電性リボン６２０aは、第１の末端ストリップ６２１aの裏側に接続、特に接着されており、第１の末端ストリップ６２１aの第１の遠位側端部６１６aを越えて突出していないからである。しかしながら、図９Ｂに示したように、幾つかの実施の形態において、第１の導電性リボン６２０bは、幾つかの例において、第１の末端ストリップ６２１bの第１の遠位側端部６１６bを越えて突出してもよく、ストリング６１５bの下面図および／または上面図において見えていてもよい。
【００７４】
幾つかの実施の形態において、例えば図１０Ａおよび図１０Ｂに示したように、太陽電池セルのずれ重ねられた配列を形成するための本明細書に説明された方法および／またはずれ重ねられた太陽電池セルを結合する方法は、接着された導電性リボン６２０a，６２０bを含む第１の末端ストリップ６２１a，６２１bを提供することにより開始することおよび／または接着された導電性リボン６２０a，６２０bを含む第１の末端ストリップ６２１a，６２１bを最初に提供することを含んでもよい。図１０Ａにおいて、第１の導電性リボン６２０aは、第１の末端ストリップ６２１aを形成するために太陽電池セル６１０aのストリップの裏側に第１の接着剤６１８によって接着され、第１の導電性リボン６２０aは、第１の末端ストリップ６２１aの上面図では見えていない。図１０Ｂにおいて、第１の導電性リボン６２０bは、第１の末端ストリップ６２１bを形成するために太陽電池セル６１０bのストリップの裏側に第２の接着剤６１９によって接着され、第１の導電性リボン６２０bは、第１の末端ストリップ６２１bの上面図において見えている。
【００７５】
図１０Ａおよび図１０Ｂに示したように、第１および／または第２の末端ストリップ６２１a，６２１b，６２３のうちの少なくとも１つの形成の後、少なくとも１つの中間ストリップ６１２aからeの付加および／または接続の前に第１の末端ストリップ６２１a，６２１bの少なくとも１つの側、特に図示したように少なくとも表側に第１の矯正固定具６２５a，６２５bが配置される。第１の矯正固定具６２５a，６２５bは、第１の末端ストリップ６２１a，６２１bに第１の中間ストリップ６１２aを接続するプロセスの間に第１の末端ストリップ６２１a，６２１bが曲がる、弓なりになるおよび／またはあらゆる形式で変形することを防止するために十分な剛性を示すように構成および設計されている。これにより、少なくとも第１の中間ストリップ６１２aの接続前に、第１の矯正固定具６２５a，６２５bを第１の末端ストリップ６２１a，６２１bの少なくとも一方の側に配置することができ、少なくとも第１の中間ストリップ６１２aが第１の末端ストリップ６２１a，６２１bに電気的に接続されかつ固定されるまで第１の末端ストリップ６２１a，６２１bの少なくとも一方の側における位置にとどめることができる。実施の形態において、第１の矯正固定具６２５a，６２５bは、太陽電池セルのストリップのずれ重ねられた配列を形成するプロセス全体の間、第１の末端ストリップ６２１a，６２１bの少なくとも一方の側に配置されてもよい。幾つかの実施の形態において、矯正固定具６２５a，６２５bは、第２の末端ストリップ６２３および／または付加的な中間ストリップ６１２bからeのうちのいずれかの接続前に、第１の末端ストリップ６２１a，６２１bの少なくとも一方の側から取り外されてもよい。
【００７６】
さらに図１０Ａおよび図１０Ｂに示したように、幾つかの実施の形態において、第１の矯正固定具６２５a，６２５bは、ずれ重ねられた形式での第１の中間ストリップ６１２aとの接続後に第１の末端ストリップ６２１a，６２１bから取り外される。あらゆる付加的な中間ストリップ６１２bから６１２eは、その後、ずれ重ねられた形式で隣接する中間ストリップに接続される（連続した点は、ストリングが、第１の末端ストリップ６２１a，６２１bと第２の末端ストリップ６２３との間に配置されたあらゆる数の中間ストリップを有してもよいことを表すことを意図したものである）。本明細書に説明された太陽電池セルの各中間ストリップは、当業者に公知のように、ずれ重ねられた形式で太陽電池セルの隣接するストリップに電気的に接続（接着および／またははんだ付け）される。
【００７７】
さらにまた図１０Ａおよび図１０Ｂに示したように、第２の矯正固定具６３０a，６３０bを、最後の中間ストリップ６１２eへの第２の末端ストリップ６２３の付加および／または接続の前に第２の末端ストリップ６２３の少なくとも一方の側、特に図示したように少なくとも表側に配置することができる。第２の矯正固定具６３０a，６３０bは、第２の末端ストリップ６２３に最後の中間ストリップ６１２eを接続するプロセスの間に第２の末端ストリップ６２３が曲がる、弓なりになるおよび／またはあらゆる形式で変形することを防止するために十分な剛性を示すように構成および設計されている。これにより、少なくとも最後の中間ストリップ６１７eへの接続前に、第２の矯正固定具６３０a，６３０bを第２の末端ストリップ６２３の少なくとも一方の側に配置することができ、少なくとも最後の中間ストリップ６１２eが第２の末端ストリップ６２３に電気的に接続されかつ固定されるまで第２の末端ストリップ６２３の少なくとも一方の側における位置にとどめることができる。第２の末端ストリップ６２３は、第２の末端ストリップ６２３および／またはストリング６１５a，６１５bの近位側端部６１６cから延びる第２の導電性リボン６２２を備えて最後の中間ストリップ６１２eに接続される。ストリング６１５a，６１５bは、ずれ重ねられた形式で第１の末端ストリップ６２１a，６２１bから第２の末端ストリップ６２３まで延びておりかつストリング６１５a，６１５bの第１の遠位側端部６１６a，６１６bにおける第１の導電性リボン６２０およびストリング６１５a，６１５bの第２の近位側端部６１６cにおける第２の導電性リボン６２２を含む、ストリップ６１２aからeの組合せを有する。
【００７８】
図１０Ａから見ることができるように、幾つかの実施の形態において、第１の導電性リボン６２０aは上面図では見えない。なぜならば、第１の導電性リボン６２０aは、第１の末端ストリップ６２１aの裏側に接続、特にはんだ付けされており、第１の末端ストリップ６２１aの第１の遠位側端部６１６aを越えて突出していないからである。しかしながら、図１０Ｂに示したように、幾つかの実施の形態において、第１の導電性リボン６２０bは、幾つかの例において、第１の末端ストリップ６２１bの第１の遠位側端部６１６bを越えて突出してもよく、ストリング６１５bの下面図および／または上面図において見えていてもよい。
【００７９】
図１１Ａおよび図１１Ｂは、バスリボンの取付け前に本明細書に説明されているように太陽電池セルのストリップ９１０の表面に配置された接着剤またははんだ９２０にエネルギ、すなわち熱エネルギ、光エネルギなどを供給するのに適したエネルギ装置９４０a，９４０bを示している。図１１Ａにおいて、接着剤またははんだの連続的なビードまたはラインの配列が、ストリップ２１９のエッジ付近に形成される。図１１Ｂにおいて、接着剤またははんだの断続的な部分のみをエネルギに曝すように、装置９４０bと接着剤またははんだ９２０との間にマスキング装置９３０が配置されており、これにより、太陽電池セルのストリップ９１０の長さに沿って接着剤またははんだの不連続なパターンを形成する。マスキング装置９３０は、装置９４０bによって供給されるエネルギをブロックするように構成されている。マスキング装置９３０は、装置９４０に取り付けられてもよいかつ／または一時的に装置９４０bと接着剤／はんだ９２０との間に配置されてもよい。
【００８０】
ここで図１２から図１５を参照すると、太陽電池モジュールおよびこのような太陽電池モジュールを形成する方法が示されており、太陽電池モジュールは、本明細書に説明されたバスリボンの剛性および／または剛さをさらに減じるためにスロットが設けられたバスリボンを有する。バスリボンの剛性および／または剛さを減じることによって、バスリボンがより柔軟となり、ストリップにより大きな剛さを加えることができないので、太陽電池セルの末端ストリップの変形の量も減少すると考えられる。
【００８１】
図１２Ａに示したように、太陽電池モジュール１０００は、太陽電池セル１０１５のずれ重ねられたストリング１０１６の配列を有するように形成することができ、各ストリング１０１６（より大きな第１の領域が太線で強調されている）は、太陽電池セル１０１５の複数のストリップ１０１８a，１０１８b（第２のより小さな領域が太線で強調されている）を有し、太陽電池セル１０５０の各隣接するストリップ１０１８a，１０１８bは、ずれ重ねられた構成で互いに接続されている。さらに図１２に示したように、各ストリング１０１６は、ストリング１０１６の反対側の端部、すなわち近位側端部１０１４aおよび遠位側端部１０１４bに配置された導電性バスリボン１０２０，１０２２を有する。導電性バスリボン１０２０，１０２２は、太陽電池セル１０１５のずれ重ねられたストリップ１０１８a，１０１８bのストリング１０１６によって発生された電気出力を伝送するように設計されている。
【００８２】
図１２は、少なくとも１つのスロット１０２５を有する導電性バスリボン１０２０，１０２２を示している。少なくとも１つのスロット１０２５は、バスリボン１０２０，１０２２の自由な外側エッジ１０２０a，１０２２aからバスリボン１０２０，１０２２の固定されたエッジ１０２０b，１０２２bに向かう方向に内方へ延びた、バスリボン１０２０，１０２２における孔または空所である。幾つかの実施の形態において、少なくとも１つのスロット１０２５の長手方向軸線lは、バスリボン１０２０，１０２２の長手方向軸線Lに対して概して垂直に延びている。幾つかの実施の形態において、少なくとも１つのスロットは、概して矩形である。
【００８３】
幾つかの実施の形態において、導電性バスリボン１０２０，１０２２は、少なくとも１つのスロット１０２５のみを有してもよく、いかなる抜き孔も有さない。幾つかの実施の形態において、導電性バスリボン１０２０，１０２２は、少なくとも１つの抜き孔１０２６および少なくとも１つのスロット１０２５を有してもよい。幾つかの実施の形態において、抜き孔１０２６は、概して丸形および／または円形であってもよく、スロット１０２５は、概して矩形であってもよい。抜き孔１０２６は、シリコンおよびリボン材料の異なる熱膨張率によって生じる機械的応力の一部を解放するために役立つ。幾つかの実施の形態において、抜き孔の幾つかの列が設けられてもよく、これは、応力をさらに解放させる。幾つかの実施の形態において、リボンの部分は中実であってもよく、これにより、リボンは、リボンの背後における背景の色を遮ることができる。この場合、スロット１０２５は、リボンの中実部分における応力を解放するために役立つ。
【００８４】
幾つかの実施の形態において、図１３に示したように、抜き孔１１２６を有するまたは有さないバスリボン１１２０を最初に形成することができ、太陽電池セルのストリップ１１１７に取り付けられ、これにより、太陽電池セルの末端ストリップ１１１８を形成する前に、スロット１１２５をバスリボン１１２０に付加することができる。具体的に示したように、幾つかの実施の形態において、バスリボン１１２０は、ストリップ１１１７に固定された第１のエッジ１１２０bに沿って配置された一列の抜き孔１１２６と、自由エッジ１１２０aに沿って断続的に配置されたスロット１１２５とを有してもよい。
【００８５】
幾つかの実施の形態において、図１４に示したように、抜き孔１２２６を有するまたは有さないバスリボン１２２０を形成することができ、太陽電池セルのストリップ１２１７に取り付けられ、これにより、太陽電池セルの末端ストリップ１２１８を形成した後に、スロット１２２５をバスリボン１２２０に付加することができる。さらに別の実施の形態において、図１５に示したように、バスリボン１３２０は、太陽電池セルのストリップ１３１７に取り付けられ、これにより、太陽電池セルの末端ストリップ１３１８を形成する前に、抜き孔１３２６およびスロット１３２５の両方を有するように予め形成することができる。
【００８６】
スロットおよび／または抜き孔は、あらゆる適切な方法を用いて導電性バスリボンに形成することができる。実施の形態において、スロットおよび／または抜き孔を打抜き加工によって形成することができる。スロットおよび／または抜き孔を形成するための導電性バスリボンの一部の打抜きまたは除去のプロセスは、機械的な打抜き加工および／またはレーザ切断加工などの複数の方法で行うことができる。幾つかの実施の形態において、スロットおよび抜き孔は、同じプロセスを用いて形成されてもよい、すなわち、パンチを用いて形成されてもよい。幾つかの実施の形態において、スロットおよび抜き孔は、異なるプロセスを用いて形成されてもよく、すなわち、スロットがレーザ切断プロセスによって形成されてもよくかつ抜き孔がパンチによって形成されてもよい。
【００８７】
自由な外側エッジに沿ったバスリボンへのスロットの付加は、太陽電池セルのストリップの変形を減じることがある。幾つかの実施の形態において、スロットは、セルのストリップの変形を、スロットを有さない太陽電池セルのストリップと比較して約５０％よりも多く減じる。幾つかの実施の形態において、スロットは、セルのストリップの変形を、スロットを有さない太陽電池セルのストリップと比較して約６５％よりも多く減じる。幾つかの実施の形態において、スロットは、セルのストリップの変形を、スロットを有さない太陽電池セルのストリップと比較して約８０％よりも多く減じる。上述のように、はんだ付けプロセスの間に加熱されたとき、太陽電池セルのシリコンおよびリボンの金属は異なる率で膨張する。なぜならば、これらは、異なる熱膨張率を有し、著しく異なる質量を有するからである。スロットの形成は、太陽電池セルのリボンとストリップとの間のはんだ付けされた接続の冷却によって生じる、接合された構成部材に生ぜしめられる張力を解放するために役立つ。抜き孔も、加熱および冷却サイクルの間に生ぜしめられる張力の解放を支援する。その結果、スロットおよび／または抜き孔を有するリボンにはんだ付けされた太陽電池セルのストリップは、著しくより小さなカッピングおよび変形を受け、ソリッドな電気接続および効率的な太陽電池モジュールを形成するために、本明細書に概説されたように、他のストリップに、より容易に結合することができる。
【００８８】
開示の複数の実施の形態が図面に示されているが、開示はそれに限定されることは意図されていない。なぜならば、開示は、技術が許す程度に範囲が広く、明細書が同様に読まれることが意図されているからである。上記実施の形態のあらゆる組合せも考えられ、添付の請求項の範囲内である。したがって、上記説明は、限定するものとしてではなく、単に特定の実施の形態の例示として解釈されるべきである。当業者は、添付の請求項の範囲内のその他の変更を想起するであろう。
【図１Ａ】
2020057765.tif 000003
【図１Ｂ】
2020057765.tif 000004
【図１Ｃ】
2020057765.tif 000005
【図１Ｄ】
2020057765.tif 000006
【図２Ａ】
2020057765.tif 000007
【図２Ｂ】
2020057765.tif 000008
【図２Ｃ】
2020057765.tif 000009
【図３】
2020057765.tif 000010
【図４Ａ】
2020057765.tif 000011
【図４Ｂ】
2020057765.tif 000012
【図５Ａ】
2020057765.tif 000013
【図５Ｂ】
2020057765.tif 000014
【図６】
2020057765.tif 000015
【図７】
2020057765.tif 000016
【図８】
2020057765.tif 000017
【図９Ａ】
2020057765.tif 000018
【図９Ｂ】
2020057765.tif 000019
【図１０Ａ】
2020057765.tif 000020
【図１０Ｂ】
2020057765.tif 000021
【図１１Ａ】
2020057765.tif 000022
【図１１Ｂ】
2020057765.tif 000023
【図１２Ａ】
2020057765.tif 000024
【図１２Ｂ】
2020057765.tif 000025
【図１３】
2020057765.tif 000026
【図１４】
2020057765.tif 000027
【図１５】
2020057765.tif 000028
【外国語明細書】
2020057765000001.pdf